(57)【要約】【課題】小型化、低背化された中でも、特性を容易に調整できる誘電体装置を提供すること。【解決手段】共振部Ｑ１、Ｑ２の第１の孔４１、４２は、外面２１に開口し、外面２１からその対向する外面２２の方向に向かう。第１の孔４１、４２は、内部に第１の内導体６１、６２を備え、第１の内導体６１、６２が外面２１において外導体膜３と連なっている。第２の孔５１、５２は、外面２１と対向していない外面に開口し、誘電体基体１の内部で第１の孔４１、４２に連なり、内部に第２の内導体８１、８２を備える。これにより、λ／２共振器が構成される。【選択図】図１
2006238432.tif 000002
【特許請求の範囲】
【請求項１】
誘電体基体と、複数の共振部と、端子とを含む誘電体装置であって、
前記誘電体基体は、外面が外導体膜によって覆われており、
前記共振部のそれぞれは、第１の孔と、第２の孔とを含み、前記誘電体基体を介して、互いに電気的に結合されており、
前記第１の孔は、
前記誘電体基体に設けられ、一端が前記外面の一面に開口し、前記一面からその対向する外面の方向に向かい、内部に第１の内導体を備え、前記第１の内導体が前記一面において前記外導体膜に連なり、
前記第２の孔は、
前記誘電体基体に設けられ、前記一面と対向していない外面に開口し、前記誘電体基体の内部で前記第１の孔に連なり、内部に第２の内導体を備え、
前記第２の内導体は一端が前記誘電体基体の内部で前記第１の内導体に連なり、他端が前記外導体膜に連なり、
前記第１の孔は、前記誘電体基体の異なる外面に開口し、それぞれに備えられた前記第１の内導体が、前記誘電体基体の内部で、前記第２の内導体に連続しており、
前記端子は、前記誘電体基体の前記外面に備えられ、前記誘電体基体を介して、前記第１の内導体と電気的に結合されている、
装置。
【請求項２】
請求項１に記載された装置であって、周波数の異なる２つ以上の通過帯域を有する装置。
【請求項３】
請求項２に記載された装置であって、
前記端子は、第１の端子と、第２の端子とを含んでおり、
前記第１の端子は、前記誘電体基体に備えられ、前記共振部の少なくとも一つと電気的に結合し、
前記第２の端子は、前記誘電体基体に備えられ、前記共振部の他の少なくとも一つと電気的に結合している、
装置。
【請求項４】
請求項１乃至３の何れかに記載された装置であって、前記複数の共振部は、ステップ状の凹部を含んでおり、前記凹部は、前記第２の孔が開口する外面に形成され、その内部に複数の前記第２の孔を共通に含む装置。
【請求項５】
請求項１乃至４の何れかに記載された装置であって、誘電体フィルタである装置。
【請求項６】
請求項１乃至４の何れかに記載された装置であって、デュプレクサである装置。
【発明の詳細な説明】
【技術分野】
【０００１】
本発明は、誘電体フィルタまたはデュプレクサ等の誘電体装置に関する。
【背景技術】
【０００２】
この種の誘電体装置は、準マイクロ波帯、マイクロ波帯、ミリ波帯またはサブミリ波帯等の高周波領域において用いられる。より具体的な適用例としては、衛星通信機器、移動体通信機器、無線通信機器、高周波通信機器またはこれらの通信機器のための基地局等を挙げることができる。
【０００３】
携帯電話等に使用されている誘電体フィルタとして、略直方体に形成された誘電体基体の一面から対向する外面に複数の貫通孔を設け、一面を除く外面と貫通孔内部にメタライズを施し、それぞれの貫通孔を共振器部分とするタイプのもが知られている。共振器部分の長さは、通常、自由空間の波長λの１／４を、誘電体基体を構成する材料の比誘電率の平方根で除した長さである。
【０００４】
しかし、従来の誘電体フィルタでは、小型化のために、共振器の長さを短くしたい場合、別途、負荷容量を構成することが必要であり、部品点数が多く、小型化に不向きである。
【０００５】
また、誘電体基体の一面に導体パターンによりキャパシタ等を形成する構造も知られているが、誘電体基体の狭小な一面に、複雑で精密な導体パターンを形成する必要があり、小型化及び低背化が進展するにつれて、生産のコストが嵩むとともに、歩留にも悪影響を与える。
【０００６】
上述した問題点を解決する手段として、特許文献１は、共振部において、第１の孔と、第２の孔とを含む孔構造とし、第１の孔の端部に、第２の孔を交差させた新規な誘電体装置を開示している。第１の孔に備えられた第１の内導体及び第２の孔に備えられた第２の内導体を互いに連続させる。
【０００７】
この孔構造を有する誘電体装置によれば、所望の共振周波数を得るのに誘電体基体の長さを短縮し、小型化及び低背化を達成することができる。
【特許文献１】特許第３３２９４５０号公報
【発明の開示】
【発明が解決しようとする課題】
【０００８】
本発明の課題は、特許文献１に開示された技術思想を更に進展させ、小型化、低背化された中でも、特性を容易に調整できる誘電体装置を提供することである。
【課題を解決するための手段】
【０００９】
上述した課題を解決するため、本発明に係る誘電体装置は、誘電体基体と、少なくとも一つの共振部と、端子とを含む。前記誘電体基体は、外面に外導体膜を備える。前記共振部は、第１の孔と、第２の孔とを含んでいる。前記第１の孔は、前記誘電体基体に設けられ、一端が前記外面の一面に開口し、前記一面からその対向する外面の方向に向かう。前記第１の孔は、内部に第１の内導体を備える。前記第１の内導体は前記一面において前記外導体膜に連なる。
【００１０】
前記第２の孔は、前記誘電体基体に設けられ、前記一面と対向していない外面に開口し、前記誘電体基体の内部で前記第１の孔に連なる。前記第２の孔は、内部に第２の内導体を備える。前記第２の内導体は一端が前記誘電体基体の内部で前記第１の内導体に連なり、他端が前記外導体膜に連なる。前記第１の孔は、他端部が、前記第２の孔との連接領域から、奥行き方向に突出している。
【００１１】
前記端子は、前記誘電体基体の前記外面に備えられ、前記誘電体基体を介して、前記第１の孔の前記他端部に備えられた前記第１の内導体と電気的に結合されている。
【００１２】
上述したように、本発明に係る誘電体装置では、共振部は、第１の孔と、第２の孔とを含み、第１の孔の開口面とは反対側の他端に、第２の孔を交差させた孔構造となる。
【００１３】
この孔構造において、第１の孔に備えられた第１の内導体及び第２の孔に備えられた第２の内導体を互いに連続させてある。しかも、誘電体基体は、外面が外導体膜によって覆われており、第１の内導体及び第２の内導体が、外導体膜に連なっている。この構造により、共振部は、λ／２共振器として動作することになる。
【００１４】
この場合、λ／２に対応する物理的な長さは、第１の孔の長さと、第２の孔の長さとの和になるから、孔を直線状に設ける場合と異なって、第１の孔又は第２の孔の何れか一方を短くし、その分を、他の孔の長さによって補い、所定の物理的長さを確保できる。このため、所望の共振周波数を得るのに誘電体基体の長さを短縮し、小型化及び低背化を達成することができる。
【００１５】
また、共振器の一面に、導体パターンによりキャパシタ等を形成する従来構造と異なって、誘電体基体の大部分は、外導体膜で覆われており、誘電体基体の一面に、複雑で精密な導体パターンを形成する必要がない。このため、小型化及び低背化を推し進めた場合でも、生産コストの上昇を抑制するとともに、歩留に資することができる。
【００１６】
しかも、共振器の開放面に導体パターンによりキャパシタ等を形成する従来構造では、誘電体基体の開放面に、複雑で精密な導電パターンやギャップを形成する必要があり、その導電パターンやギャップの幅が狭い時、ショートしたりして、小型化及び低背化の進展の妨げとなっていたが、本発明にはこのような障害がない。したがって、本発明によれば、小型で、信頼性が高く、しかも優れた特性を有し、かつ、歩留まりが高く、生産コストの安価な誘電体装置を得ることができる。
【００１７】
本発明にかかる誘電体装置は、更に重要な特徴として、λ／２共振器として動作する複数の共振部を備える。この構成によれば、λ／４共振器として動作する複数の共振部を備える場合（特許文献１）と異なって、周波数の異なる２つ以上の通過帯域を有する誘電体装置（誘電体フィルタ）を得ることができ、しかも、この特性は、誘電体基体に対する第１の孔や第２の孔の形成位置等をコントロールすることによって容易に調整できる。
【００１８】
本発明に係る誘電体装置は、誘電体フィルタのほか、Duplexer（デュプレクサ、アンテナ共用器とも称される）として用いることもできる。
【発明の効果】
【００１９】
以上述べたように、本発明によれば、特許文献１に開示された技術思想を更に進展させ、小型化、低背化された中でも、特性を容易に調整できる誘電体装置を提供することができる。
【００２０】
本発明の他の目的、構成及び利点については、添付図面を参照して、更に詳しく説明する。但し、本発明の技術的範囲がこれらの図示実施例に限定されないことは言うまでもない。
【発明を実施するための最良の形態】
【００２１】
図１は本発明に係る誘電体装置の斜視図、図２は図１に示した誘電体装置を上下反転させて背面側から見た斜視図、図３は図２の３−３線に沿った断面図、図４は図３の４−４線に沿った断面図である。図示された誘電体装置は誘電体フィルタとして用いられるもので、誘電体基体１（図３参照）と、２つの共振部Ｑ１、Ｑ２とを含む。誘電体基体１は、周知の誘電体セラミックス材料を用いて構成され、横幅Ａ１、奥行Ｂ１及び高さ（縦寸法）Ｃ１を有する略６外面体状に形成され、外面２１〜２６の大部分が外導体膜３によって覆われている。外導体膜３は、一般に、銅または銀等を主成分とし、焼き付け、メッキ等の手段によって形成される。
【００２２】
共振部Ｑ１、Ｑ２のそれぞれは、誘電体基体１を共用し、誘電体基体１を介して一体化されている。共振部Ｑ１、Ｑ２のうち、共振部Ｑ１は、第１の孔４１と、第２の孔５１とを含む。第１の孔４１は、誘電体基体１に設けられ、外面２４を基準にして、外面２４に近い辺までの高さＣ３、対向辺までの高さＣ２をもち、高さ方向でみた内径Ｃ４、横幅Ａ２を持つ略長方形状に形成されている。第１の孔４１の一端は、外面２１に開口し、外面２１からその対向面となる外面２２の方向に向かう。第１の孔４１は内部に第１の内導体６１を備える。第１の内導体６１は、外導体膜３と同様の材料及び手段によって、電極膜として形成される。これとは異なって、第１の内導体６１は第１の孔４１の一部または全体を埋めるように充填されていてもよい。第１の内部導体６１は、その一端が、外面２１において、外導体膜３と連なっている。
【００２３】
第２の孔５１も、誘電体基体１に設けられる。第２の孔５１は、一端が外面２３に開口し、第２の孔５１は外面２３からその対向面である外面２４の方向に向かい、誘電体基体１の内部で第１の孔４１に連なる。図示の第２の孔５１は、内径Ｂ２を有する円形状であって、その孔中心から第１の孔４１の外側壁面までの距離Ａ２１、及び、孔中心から第１の孔４１の内側壁面までの距離Ａ２２を有する。第２の孔５１は、内部に第２の内導体８１を備える。この第２の内導体８１は、外面２３に開口する一端が外導体膜３に連続し、他端が第１の内導体６１に連続する。第２の内導体８１は、第１の内導体６１と同様の材料及び手段によって形成される。第２の内導体８１は、第２の孔５１の一部または全体を埋めるように、充填されていてもよい。
【００２４】
図示実施例において、第２の孔５１は、誘電体基体１の奥行Ｂ１の略中心部に配置された内径Ｂ２の実質的な円形状であり、第１の孔４１は横幅Ａ２が高さＣ４よりも大きい略長方形状の孔形を有する。但し、この形状には限定されない。
【００２５】
また、実施例において、第１の孔４１の横幅Ａ２は第２の孔５１の内径Ｂ２よりも大きい。従って、第２の孔５１の他端は、第１の孔４１の横幅Ａ２内で、第１の孔５１に連なることになる。第１の孔４１は、隅部が円弧状であることが好ましい。
【００２６】
実施例では、第１の孔４１は、第２の孔５１との連接領域から、更に、距離Ｘ１だけ奥行き方向に突出している（図３参照）。また、第２の孔５１が開口している外面２３と、第１の孔４１との間の寸法（Ｃ１−Ｃ２）が、第２の孔５１に対向している外面２４と、第１の孔４１との距離Ｃ３より長い（図３参照）。即ち、（Ｃ１−Ｃ２）＞Ｃ３である。
【００２７】
第１の孔４１の内面に備えられた第１の内導体６１と、外面２２、外面２４〜２６に設けられた外導体膜３との間には、厚みＣ３、ｄ２１、ｄ３、ｄ４の誘電体層７１〜７４が存在する（図３、図４参照）。
【００２８】
共振部Ｑ２は、共振部Ｑ１と実質的に同一の構造であり、第１の孔４２と、第２の孔５２とを含んでいる。第１の孔４２及び第２の孔５２は、第１の孔４１及び第２の孔５１と同一の構造を採用することができる。
【００２９】
第１の孔４２は、一端が外面２１に開口し、外面２１から、外面２２の方向に向かう。第１の孔４２は内部に第１の内導体６２を備える。第１の内部導体６２は、一端が、外面２１において、外導体膜３に連なる。
【００３０】
また、第２の孔５２は、一端が、外面２１と隣り合う外面２３に開口し、他端が誘電体基体１の内部で第１の孔４２の他端に連なる。第２の孔５２に備えられた第２の内導体８２は、外面２３に開口する一端が外導体膜３に連続し、他端が第１の内導体６２に連続する。
【００３１】
更に、誘電体基体１の外面２２には、入出力端子となる第１の端子１１及び第２の端子１２が備えられている。第１の端子１１は、第１の孔４１と、厚さｄ２１の誘電体層７２を介して対向する位置に設けられ、外導体膜３から絶縁ギャップｇ２１によって電気的に絶縁されている。
【００３２】
第２の端子１２は、第１の孔４２と、厚さｄ２２の誘電体層７５を介して対向する位置に設けられ、外導体膜３から絶縁ギャップｇ２２によって電気的に絶縁されている。
【００３３】
第１及び第２の端子１１、１２と、第１の孔４１、４２の内導体６１、６２との間には、誘電体層の厚さ、その誘電率及び面積によって定まる結合容Ｃ０２、Ｃ０５が発生する。第１及び第２の端子１１、１２は、第１の孔４１、４２の内導体６１、６２と重なることは必須ではない。部分的に対向し、または、対向しない位置に設けてあってもよい。また、絶縁ギャップｇ２１、ｇ２２は一つのギャップとして連続させてもよい。
【００３４】
上述したように、共振部Ｑ１は、第１の孔４１と、第２の孔５１とを含む。第１の孔４１は、一端が外面２１に開口し、外面２１からその対向する外面２２に向かう。第２の孔５１は、一端が、外面２３に開口し、外面２３からその対向する外面２４の方向に向かい、他端が誘電体基体１の内部で第１の孔４１に連なる。
【００３５】
この孔構造において、第１の孔４１に備えられた第１の内導体６１及び第２の孔５１に備えられた第２の内導体８１を互いに連続させてある。しかも、誘電体基体１は、外面が外導体膜３によって覆われており、第１の内導体６１及び第２の内導体８１が、外導体膜３に連なっている。この構造により、共振部は、λ／２共振器として動作することになる。
【００３６】
この場合、λ／２に対応する物理的な長さは、第１の孔４１の長さと、第２の孔５１の長さとの和になるから、孔を直線状に設ける場合と異なって、第１の孔４１又は第２の孔５１の何れか一方を短くし、その分を他方の孔の長さによって補い、所望の共振周波数を得るのに誘電体基体１の長さを短縮し、小型化及び低背化を達成することができる。
【００３７】
また、共振器の一面に、導体パターンによりキャパシタ等を形成する従来構造と異なって、誘電体基体１の大部分は、外導体膜３で覆われており、誘電体基体１の一面に、複雑で精密な導体パターンを形成する必要がない。このため、小型化及び低背化を推し進めた場合でも、生産コストが上昇するのを抑制するとともに、歩留を向上させることができる。
【００３８】
更に、共振器の開放面に導体パターンによりキャパシタ等を形成する従来構造では、誘電体基体１の開放面に、複雑で精密な導電パターンやギャップを形成する必要があり、その導電パターンやギャップの幅が狭い時、ショートしたりして、小型化及び低背化の進展の妨げとなっていたが、本発明によれば、このような障害を生じる余地がない。したがって、本発明によれば、小型で、信頼性が高く、しかも優れた特性を有し、かつ、歩留まりが高く、生産コストの安価な誘電体装置を得ることができる。
【００３９】
共振部Ｑ１と構造をほぼ同一にする共振部Ｑ２においても、共振部Ｑ１に関して述べた上記作用効果が得られる。
【００４０】
本発明にかかる誘電体装置は、更に重要な特徴として、λ／２共振器として動作する複数の共振部Ｑ１、Ｑ２を備える。この構成によれば、２つ以上の通過帯域を有する誘電体装置（誘電体フィルタ）を得ることができる。次にこの点について説明する。
【００４１】
＜実施例＞
図１〜図４に示した実施例において、誘電体基体１、第１の孔４１、４２及び第２の孔５１、５２に関する寸法を次のように設定した。なお、主要な寸法については、図５及び図６にも示してある。
（１）誘電体基体１
横幅Ａ１＝３．３０ｍｍ
奥行Ｂ１＝１．６５ｍｍ
高さＣ１＝４．１５ｍｍ
（２）第１の孔４１、４２
横幅Ａ２＝１．２０ｍｍ
奥行Ｂ４＝１．４０ｍｍ
高さＣ４＝０．５０ｍｍ
外面２４から上辺までの高さＣ２＝１．０ｍｍ
外面２４から底辺までの高さＣ３＝０．５０ｍｍ
（３）第２の孔５１、５２
ピッチＡ３＝１．４０ｍｍ
内径Ｂ２＝０．５０ｍｍ
孔位置；奥行Ｂ１の中心
孔中心から第１の孔４１、４２の外側壁面までの距離Ａ２１＝０．６５ｍｍ
孔中心から第１の孔４１、４２の内側壁面までの距離Ａ２２＝０．５５ｍｍ
【００４２】
＜比較例＞
比較のため、従来の貫通タイプの誘電体装置を準備した。その具体的例を図７〜図９に示す。図７はこの比較例の外観斜視図、図８は図７に示した比較例を上下逆転してみた外観斜視図、図９は図８の９−９線断面図である。図において、図１〜図４に現れた構成部分に相当する部分については、同一参照符号を付してある。比較例の各部の寸法は、次のとおりである。また、Ｃ１寸法を同一にして、更に共振周波数を合わせるために、貫通孔にはステップ状の段差を設けてある。
（１）誘電体基体１
横幅Ａ１＝３．３０ｍｍ
奥行Ｂ１＝１．６５ｍｍ
高さＣ１＝４．１５ｍｍ
（２）第１の孔４１、４２          なし
（３）第２の孔５１、５２
内径Ｂ２＝０．５ｍｍ
位置；奥行Ｂ１の中心
図１０は、上述した実施例と、比較例の通過減衰特性を示している。図１０の縦軸には減衰量Ｓ２１（ｄＢ）をとり、横軸に周波数Ｆｒｅｑ．（ＧＨｚ）を取ってある。曲線Ｚ０１が基準の誘電体装置の特性を示し、曲線Ｚ５２が比較例の特性を示している。
【００４３】
比較例の場合、特性Ｚ５２から明らかなように、６．５（ＧＨｚ）付近に、通過帯域が生じるほか、９．５（ＧＨｚ）付近でも損失が小さくなる点がある。しかし、９．５（ＧＨｚ）付近の通過特性は、殆ど帯域幅を持たず、フィルタとして利用することができない。
【００４４】
これに対して、実施例では、６〜７（ＧＨｚ）の範囲、及び、９〜１０の周波数範囲で、比較例よりも遥かに広い帯域幅を持つ通過帯域を生じている。即ち、本発明によれば、周波数帯域の異なる２つ以上の通過帯域を有する誘電体装置（誘電体フィルタ）を得ることができる。
【００４５】
本発明にかかる誘電体装置の特性は、誘電体基体１に対する第１の孔４１、４２や第２の孔５１、５２の形成位置等をコントロールすることによって容易に調整できる。次に、この点について、図１１〜図１４を参照して説明する。図１１〜図１４は、図１〜図４に図示され、先に述べた寸法を持つ実施例を基準とし、各部の寸法を変更した場合の通過減衰特性を示している。
【００４６】
まず、図１１は、基準の誘電体装置において、高さＣ１を短縮した場合の通過減衰特性を示している。曲線Ｚ０１は基準の誘電体装置の特性、曲線Ｚ０６は、高さＣ１を、基準の高さＣ１＝４．１５ｍｍより、０．５ｍｍだけ短縮（Ｃ１＝３．６５ｍｍ）したときの特性、曲線Ｚ０７は、高さＣ１を、基準の高さＣ１＝４．１５ｍｍより、１．０ｍｍだけ短縮（Ｃ１＝３．１５ｍｍ）したときの特性を示している。
【００４７】
図１１に図示するように、誘電体基体１の高さＣ１を短くすると、低域側の（１ＧＨｚ以下の）減衰極が動かずに、通過帯域が高域側にシフトすると同時に、低周波側の帯域が広がり、高周波数側の帯域が狭くなり、より高周波数側にシフトする。
【００４８】
次に、図１２は、基準の誘電体装置において、高さＣ１を長くした場合の通過減衰特性を示している。曲線Ｚ０１は基準の誘電体装置の特性、曲線Ｚ０８は、高さＣ１を、基準の高さＣ１＝４．１５ｍｍより、０．５ｍｍだけ長く（Ｃ１＝４．６５ｍｍ）したときの特性、曲線Ｚ０９は、高さＣ１を、基準の高さＣ１＝４．１５ｍｍより、１．０ｍｍだけ長く（Ｃ１＝５．１５ｍｍ）したときの特性を示している。
【００４９】
図１２に図示するように、誘電体基体１の高さＣ１を長くすると、低域側の（１ＧＨｚ以下の）減衰極が動かずに、通過帯域が低域側にシフトすると同時に、低周波側の帯域が狭くなり、高周波数側の帯域が広がり、より低周波数側にシフトする。
【００５０】
図１３は第２の孔５１、５２のピッチＡ３を変えた場合の通過減衰特性を示している。
曲線Ｚ０１は基準の誘電体装置の特性、曲線Ｚ１６は、ピッチＡ３を、基準のピッチ寸法Ａ３＝１．４ｍｍより、０．２ｍｍだけ狭く（Ａ３＝１．２ｍｍ）したときの特性、曲線Ｚ１７は、ピッチＡ３を、基準のピッチ寸法Ａ３＝１．４ｍｍより、０．２ｍｍだけ広く（Ａ３＝１．６ｍｍ）したときの特性を示している。
【００５１】
図１３に図示するように、第２の孔５１、５２のピッチＡ３を変えることによって、それぞれ通過帯域の高周波数側の減衰特性を調整することができる。
【００５２】
図１４は端子形成面となる外面２２から第２の孔５１、５２までの距離Ｂ３を変えた場合の通過減衰特性を示している。曲線Ｚ０１は基準の誘電体装置の特性、曲線Ｚ１８は、距離Ｂ３を、基準の距離Ｂ３＝１．４ｍｍより、０．２ｍｍだけ近づけ（Ｂ３＝１．２ｍｍ）したときの特性、曲線Ｚ１９は、距離Ｂ３を、基準の距離Ｂ３＝１．４ｍｍより、０．２ｍｍだけ遠ざけた（Ｂ３＝１．６ｍｍ）ときの特性を示している。
【００５３】
図１４に図示するように、第２の孔５１、５２の外面２２に対する距離Ｂ３を小さくすると、低周波数側の（１ＧＨｚ以下の）減衰極、および、高周波数側の（１０．５ＧＨｚ付近）通過のピークの位置を変化させずに、それぞれの通過帯域間の周波数を、広くも、狭くも調整することができる。
【００５４】
図１５は本発明に係る誘電体フィルタの別の実施例を示す斜視図である。図１５に示した実施例の特徴は、誘電体基体１の外面２３に凹部１０１を有することである。凹部１０１の内部には、共振部Ｑ１、Ｑ２を構成する第２の孔５１、５２が含まれている。
【００５５】
図１５の実施例によれば、凹部１０１のディメンション選定により、共振部Ｑ１、Ｑ２と共振部Ｑ２との間の結合特性及び各共振周波数を調整することができる。
【００５６】
図１６は本発明に係る誘電体フィルタの別の実施例を示す斜視図、図１７は図１６の１７−１７線に沿った断面図である。図示実施例において、第１の孔４１は、大径部４１１と、小径部４１２とを含んでいる。大径部４１１は外面２１に開口し、小径部４１２は大径部４１１の下方に連なる。第１の孔４２も、大径部４２１と、小径部４２２とを含んでおり、大径部４２１は外面２１に開口し、小径部４２２は大径部４２１の下方に連なる。切欠部３１は、第２の孔５１、５２を第１の孔４１の開口する一面に投影した際の投影位置と重なるように配置されている。
【００５７】
図１６、図１７の実施例では、第２の孔５１、５２も、大径部５１１、５２１と、小径部５１２、５２２とを含んでいる。大径部５１１、５２１は外面２３に開口し、小径部５１２、５２２は大径部５１１、５２１の下方に連なる。
【００５８】
図１６、図１７に示した実施例の場合、大径部（４１１、４２１）、（５１１、５２１）の孔径選定により、共振部Ｑ１と共振部Ｑ２との間の結合特性及び各共振周波数を調整することができる。
【００５９】
図１８は３つの共振部Ｑ１、Ｑ２、Ｑ３を有する誘電体フィルタを示す斜視図、図１９は図１８に示した誘電体フィルタを底面側から見た斜視図、図２０は図１８の２０−２０線に沿った断面図、図２１は図２０の２１−２１線に沿った断面図である。
【００６０】
共振部Ｑ１、Ｑ２、Ｑ３のそれぞれは、誘電体基体１を共用し、誘電体基体１を介して一体化されている。誘電体基体１は、外面の大部分が外導体膜３によって覆われている。
【００６１】
共振部Ｑ１は第１の孔４１と第２の孔５１とを含む。共振部Ｑ２は第１の孔４２と第２の孔５２とを含む。共振部Ｑ３は第１の孔４３と第２の孔５３とを含む。第１の孔４１〜４３及び第２の孔５１〜５３の個別的構造、及び、相対関係は、既に説明した通りである。
【００６２】
実施例において、共振部Ｑ１、Ｑ３の間に位置する共振部Ｑ２は、第１の孔４２の深さが共振部Ｑ１、Ｑ３よりも浅く、かつ、誘電体層７１の厚みｄ１２が共振部Ｑ１、Ｑ３における誘電体層７１の厚みｄ１１、ｄ１３よりも大きい（図１８参照）。
【００６３】
第１の端子１１は、外面２２において、第１の孔４１に対応する位置に、絶縁ギャップｇ２１によって、外導体膜３から電気絶縁した状態で配置されている。
【００６４】
第２の端子１２は、外面２２において、第３の孔４３と対応する位置に、絶縁ギャップｇ２２によって、外導体膜３から電気絶縁した状態で配置されている。
【００６５】
図１８〜図２１に示した実施例によれば、先の実施例と同様の小型化及び低背化が得られる他、より多くの共振部Ｑ１〜Ｑ３を有するので、周波数選択特性が向上する。
【００６６】
図２２は３つの共振部Ｑ１、Ｑ２、Ｑ３を有する誘電体フィルタの別の実施例を示す斜視図、図２３は図２２に対応する断面図である。図２２及び図２３に示した実施例の基本的構造は、図１８〜図２１に示した実施例と同様であるが、共振部Ｑ１〜Ｑ３の構成がほぼ同じである点、共振部Ｑ１〜Ｑ３の第１の孔４１〜４３の相互距離が、図１８〜図２１の場合よりも拡大されている点、及び、共振部Ｑ１〜Ｑ３の第１の孔４１〜４３と、外導体膜３との間の距離に相当する誘電体層７１の厚みｄ１１、ｄ１２、ｄ１３が、図１８〜図２１の場合よりも縮小されている点で、異なる。
【００６７】
図２２、図２３に示した実施例の場合、共振部Ｑ１〜Ｑ３の第１の孔４１〜４３と、外導体膜３との間の距離（ｄ１１、ｄ１２、ｄ１３）が、図１８〜図２１の場合よりも縮小されているため、この部分に発生する容量（Ｃ０１）は比較的大きい。このため、隣り合う共振器Ｑ１〜Ｑ３の相互は誘導性結合を示す。この点、容量性結合を示す図１８〜図２１の実施例と異なる。
【００６８】
図１５〜図２３に示した何れの実施例においても、図１０〜図１４に示した特性と類似した特性が得られた。図２４に３つの共振器Ｑ１〜Ｑ３を備える誘電体フィルタの通過減衰特性を示してある。図２４に見られるように、３つの共振器Ｑ１〜Ｑ３を備える場合も、周波数の異なる２つ以上の通過帯域を有する誘電体フィルタを得ることができる。
【００６９】
次に、本発明に係る誘電体装置のもう一つの重要な適用例であるデュプレクサについて説明する。図２５は本発明に係るデュプレクサの別の実施例を示す斜視図、図２６は図２５に示したデュプレクサを、上下逆転させたうえで、背面側からみた斜視図である。図示されたデュプレクサは７つの共振部Ｑ１〜Ｑ７を有する。共振部Ｑ１〜Ｑ７のそれぞれは、誘電体基体１を共用して一体化されている。共振部Ｑ１〜Ｑ７の内、共振部Ｑ１〜Ｑ３が送信側の誘電体フィルタを構成し、共振部Ｑ４〜Ｑ６が受信側の誘電体フィルタを構成する。共振部Ｑ７は、送信側の共振部Ｑ１〜Ｑ３と、受信側の共振部Ｑ４〜Ｑ６との間に介在し、両者間で共用されている。送信側の共振部Ｑ１〜Ｑ３の第１の孔４１〜４３、受信側の共振部Ｑ４〜Ｑ６の第１の孔４４〜４６、及び、共振部Ｑ７の第１の孔４７は、第３の外面２３に開口させてある。
【００７０】
更に、第１の外面２１には、第２の孔５４〜５６を共通に含む凹部５８が設けられており、この凹部５８の底部で、第２の孔５４〜５６が開口している。外導体膜３は、第１の外面２１の表面から、凹部５８の内面に連続し、更に、第２の孔５４〜５６の内面に設けられた第２の内導体に連続する。
【００７１】
図示は省略するが、デュプレクサについても、誘電体フィルタで例示した各種の構造を適用することができることは勿論である。また、誘電体フィルタの組み合わせであるから、誘電体フィルタにおいて述べた作用効果がそのまま得られる。
【００７２】
本発明は以上の具体例に限定されるものではない。複数の共振部Ｑ１〜Ｑ６を形成する誘電体基体１では、第１の外面２１以外の面から形成する第１の孔４１〜４６は必ずしも同一の側面から形成されている必要はない。入出力端子や調整の都合に合わせて適当な側面に設置してもよい。
【図面の簡単な説明】
【００７３】
【図１】本発明に係る誘電体装置の斜視図である。
【図２】図１に示した誘電体装置を背面側から見た斜視図である。
【図３】図１の３−３線に沿った断面図である。
【図４】図３の４−４線に沿った断面図である。
【図５】図１〜図４に示した誘電体装置の寸法を表示する図である。
【図６】図１〜図４に示した誘電体装置の寸法を表示する図である。
【図７】比較例の外観斜視図である。
【図８】図７に示した比較例を上下逆転してみた外観斜視図である。
【図９】図８の９−９線断面図である。
【図１０】実施例と、比較例の通過減衰特性を示す図である。
【図１１】基準の誘電体装置において、高さを短縮した場合の通過減衰特性を示す図である。
【図１２】基準の誘電体装置において、高さを増した場合の通過減衰特性を示す図である。
【図１３】第２の孔のピッチを変えた場合の通過減衰特性を示す図である。
【図１４】端子形成面となる外面から第２の孔までの距離を変えた場合の通過減衰特性を示す図である。
【図１５】本発明に係る誘電体フィルタの別の実施例を示す斜視図である。
【図１６】本発明に係る誘電体フィルタの別の実施例を示す斜視図である。
【図１７】図１６の１７−１７線に沿った断面図である。
【図１８】３つの共振部を有する誘電体フィルタを示す斜視図である。
【図１９】図１８に示した誘電体フィルタを底面側から見た斜視図である。
【図２０】図１８の２０−２０線に沿った断面図である。
【図２１】図２０の２１−２１線に沿った断面図である。
【図２２】３つの共振部を有する誘電体フィルタの別の実施例を示す斜視図である。
【図２３】図２２に示した実施例の断面図である。
【図２４】３つの共振器Ｑ１〜Ｑ３を備える誘電体フィルタの通過減衰特性を示す図である。
【図２５】本発明に係るデュプレクサの斜視図である。
【図２６】図２５に示したデュプレクサを底面側からみた斜視図である。
【符号の説明】
【００７４】
１                誘電体基体
２１〜２６        外面
３                外導体膜
４１〜４６        第１の孔
５１〜５６        第２の孔
【図１】
2006238432.tif 000003
【図２】
2006238432.tif 000004
【図３】
2006238432.tif 000005
【図４】
2006238432.tif 000006
【図５】
2006238432.tif 000007
【図６】
2006238432.tif 000008
【図７】
2006238432.tif 000009
【図８】
2006238432.tif 000010
【図９】
2006238432.tif 000011
【図１０】
2006238432.tif 000012
【図１１】
2006238432.tif 000013
【図１２】
2006238432.tif 000014
【図１３】
2006238432.tif 000015
【図１４】
2006238432.tif 000016
【図１５】
2006238432.tif 000017
【図１６】
2006238432.tif 000018
【図１７】
2006238432.tif 000019
【図１８】
2006238432.tif 000020
【図１９】
2006238432.tif 000021
【図２０】
2006238432.tif 000022
【図２１】
2006238432.tif 000023
【図２２】
2006238432.tif 000024
【図２３】
2006238432.tif 000025
【図２４】
2006238432.tif 000026
【図２５】
2006238432.tif 000027
【図２６】
2006238432.tif 000028